(57)【特許請求の範囲】
【請求項１】
上面および下面が開口し、上面側に掛止部を形成した中空ボックス状の台盤本体と、上記掛止部に掛止められて台盤本体の上面を塞ぐと共に、上壁面に植生用の孔部を穿設した補助台盤とからなる植生台盤において、
台盤本体が上部よりも下部が外方へ拡開する形状に設定されており、設置面に多数の台盤本体を隙間無く並べて各台盤本体の上面の外周に沿って凹溝部を形成し、
該凹溝部にコンクリート等の固着材を充填して前記台盤本体を設置面に固定してなることを特徴とする植生台盤。
【請求項２】
台盤本体と補助台盤とを掛け止めて１体となし、または別々に独立して使用しうることを特徴とする請求項１に記載の植生台盤。
【請求項３】
補助台盤が、底面側が開口する略皿状からなっており、上壁面に植生用の孔が複数設けられていることを特徴とする請求項１または２に記載の植生台盤。
【請求項４】
補助台盤が、上壁面に上方へ隆起する突壁部を設け、該突壁部の一側が塞がれ他方を開口して植生用の開口部に形成してなることを特徴とする請求項１または２に記載の植生台盤。
【請求項５】
補助台盤が上部よりも下部が外方へ拡開する形状に設定されており、設置面に多数の補助台盤を隙間無く並べて各補助台盤の上面の外周に沿って凹溝部を形成し、
該凹溝部にコンクリート等の固着材を充填して前記補助台盤を設置面に固定してなることを特徴とする請求項３または４に記載の植生台盤。
【発明の詳細な説明】
【０００１】
【発明が属する技術分野】
この発明は、扁平な地盤や法面に取り付けて植物を育成することができる植生台盤に関する。
【０００２】
【従来の技術】
従来、植物を育成するための保護台盤として種々構成のものが提案されているが、簡単な構成でありながら地盤が平面でも、法面でも自在に使用することができる植生台盤は提供されておらず、この種の分野において開発が待たれていた。
【０００３】
【発明が解決しようとする課題】
この発明は上記事情に鑑みて鋭意研究の結果創案されたものであって、その主たる課題は、台盤本体と、これに掛止め可能な補助台盤とを用いて、地盤が平面でも、法面でも自在に使用することができる植生台盤を提供することにある。
この発明の別の課題は、台盤本体と、補助台盤とを組み合わせて一体にして使用し、または台盤本体と補助台盤とをそれぞれ別々に独立して使用することができる植生台盤を提供することにある。
【０００４】
【課題を解決するための手段】
この発明は上記課題を解決するため、請求項１の発明では、
上面および下面が開口し、上面側に掛止部を形成した中空ボックス状の台盤本体と、上記掛止部に掛止められて台盤本体の上面を塞ぐと共に、上壁面に植生用の孔部を穿設した補助台盤とからなる植生台盤において、
台盤本体が上部よりも下部が外方へ拡開する形状に設定されており、設置面に多数の台盤本体を隙間無く並べて各台盤本体の上面の外周に沿って凹溝部を形成し、
該凹溝部にコンクリート等の固着材を充填して前記台盤本体を設置面に固定してなる、という技術的手段を講じている。
【０００５】
また、請求項２の発明では、台盤本体と補助台盤とを掛け止めて１体となし、または別々に独立して使用しうる、という技術的手段を講じている。
【０００７】
また、請求項３の発明では、補助台盤が、底面側が開口する略皿状からなっており、上壁面に植生用の孔が複数設けられている、という技術的手段を講じている。
【０００８】
更に、請求項４の発明では、補助台盤が、上壁面に上方へ隆起する突壁部を設け、該突壁部の一側が塞がれ他方を開口して植生用の開口部に形成してなる、という技術的手段を講じている。
【０００９】
請求項５の発明では、補助台盤が上部よりも下部が外方へ拡開する形状に設定されており、設置面に多数の補助台盤を隙間無く並べて各補助台盤の上面の外周に沿って凹溝部を形成し、該凹溝部にコンクリート等の固着材を充填して前記補助台盤を設置面に固定してなる、という技術的手段を講じている。
【００１０】
【発明の実施の形態】
以下に、この発明の植生台盤の好適実施例について図面を参照しつつ説明する。
植生台盤１は、図１に示す台盤本体２と、図２および図３に示す補助台盤３とからなっている。
即ち、台盤本体２は、合成樹脂材で成型され、上面および下面が開口する截頭四角錐形状の筒体からなる中空ボックス状に形成されている。
【００１１】
そして、下部には外方に延びるフランジ３が形成されており、該フランジ３のコーナー部分には隣接する台盤本体２相互を連結するための連結具４がそれぞれ形成されている。
なお、図示例では前記フランジの先端はコーナー部分を除いて曲折して立ち上げてもよく、隙間無く並べた多数の台盤本体２相互の位置決めに用いられる。
また、本実施例で連結具４は軸部からなっており、隣接した台盤本体２相互の軸部４、４に、該軸部を掛止める孔を一対に有した連結板５を掛け止めて拘束するようになっている。
【００１２】
この台盤本体２の上部には、その周縁に沿って掛止部６が形成されている。
図示例で掛止部６は、最上部の同一面上でコーナー部から内向きの突出する平面Ｌ状の第１掛止片６ａと、該第１掛止片６ａと一定の間隔を隔てた同一面状で第１掛止片６ａと上下に重ならない位置で内向きの突出した第２掛止片６ｂとからなっており、後述の補助台盤１０を掛止めることができるようになっている。上記掛止部６の構造は台盤本体２に補助台盤１０を掛止めることができる構成の一例を示すもので他の公知の掛止構造や連結構造を用いることができる。
【００１３】
従って、この台盤本体２を図８に示すように縦横に隙間無く並べて連結板５を用いて相互に連結すると、台盤本体２と隣接する台盤本体２との間には、その上面の外周に沿って凹溝部２０が形成される。
そこで、前記台盤本体２の中空内には砂利や砂などの植生基材２１を充填し、そこに植物２２の種を植える。
【００１４】
また、凹溝部２０には生コンクリートＣを充填して、前記多数の連結された台盤本体２を一体にして地盤に固定することができる。
これにより碁盤の目状に台盤本体２を取り付けて、植物２２を生育させることができる。
図示例では、地盤が扁平な場合を例示したが、地盤は法面であってもよく、法面に沿って前記台盤本体２を固定することができる。
【００１５】
次ぎに、図２に示す補助台盤１０は、合成樹脂材で成形され、断面略梯形状であって底面側が開口する略皿状からなっており、基部には外方へ延びる連結用フランジ１１が形成されており、上壁面１２に植生用の孔１３が複数設けられている。
ここで孔１３には、放射状に切れ線１４を形成してもよく、これを設けることによって、後日に孔１３から植物の幹が延びた際に、幹が太くなっても孔１３に締め付けられることがなく孔１３が広がることができるようになっている。
【００１６】
そして、この補助台盤１０は、前記連結用フランジ１１を、台盤本体２の第１掛止片６ａと第２掛止片６ｂの間に差し込んで、台盤本体２の上面開口を塞ぐようにして掛止めて、植生台盤１を組み立てるようになっている。
この植生台盤１は、図４に示すように、縦横に隙間無く並べ連結板５を用いて相互に連結すると、植生台盤１と隣接する植生台盤１との間には、その上面の外周に沿って凹溝部２０が形成される。
【００１７】
そこで、前記植生台盤１、即ち、台盤本体２と補助台盤１０の中空内には砂利や砂などの植生基材２１を充填し、上記孔１３に位置に合わせて植物２２の種を植える。
また、凹溝部２０には生コンクリートＣを充填して、前記多数の連結された植生台盤１を一体にして地盤に固定する。
ここで、生コンクリートＣの充填は補助台盤１０の上面まで充填するものであっても、あるいは台盤本体２の上面まで充填するものであってもよい。
同様にしてこの植生台盤１を法面に取り付けた状態を図６に示す。
【００１８】
次ぎに、図３に示す補助台盤１０は、上壁面１２に上方へ隆起する突壁部１５を設け、該突壁部１５の一側（基端側）が塞がれ他方を開口して植生用の開口部１６に形成されている。
この突壁部１５は図示例の場合、補助台盤１０の基端側（図中左側）の上壁面１２に設けられているが、中途位置でも、あるいは先端側でもよいが、突壁部１５基の端側が塞がっており、先端側に開口部１６が形成されるようになっている。
【００１９】
従って、この補助台盤１０では、法面などに傾斜姿勢で使用される場合に、開口部１６が上向きになるように補助台盤１０を傾斜することにより、上壁面に設けられた孔部１３に対して開口部１６がほぼ上向きとなるので、植物の生育を妨げることがない。
その他の構成は図２に示した前記補助台盤１０と同じであるので、同一構成には同一符号を付してその説明を省略する。
【００２０】
この場合も補助台盤１０の前記連結用フランジ１１を、台盤本体２の第１掛止片６ａと第２掛止片６ｂの間に差し込んで、台盤本体２の上面開口を塞ぐようにして掛止めて、植生台盤１を組み立てる。
この植生台盤１は、図５に示すように、縦横に隙間無く並べ連結板５を用いて相互に連結すると、植生台盤１と隣接する植生台盤１との間には、その台盤本体２の上面の外周に沿って凹溝部２０が形成される。
【００２１】
そこで、前記植生台盤１、即ち、台盤本体２と補助台盤１０の中空内には砂利や砂などの植生基材２１を充填し、上記孔１３や開口部１６に合わせて植物２２の種を植える。
また、凹溝部２０には生コンクリートＣを充填して、前記多数の連結された植生台盤１を一体にして地盤に固定する。
同様にして法面に取り付けた状態を図７に示す。
【００２２】
また、前記補助台盤１０は、それぞれ単体としても使用することができる。
即ち、図９および図１０は、図２および図３で示した補助台盤１０を法面に隙間無く並べた場合を示す。
即ち、隣接する補助台盤１０の連結用フランジ１１のコーナーに連結孔１１ａを設け、この連結孔１１ａ相互に、これに掛止められる軸部を一対に有する連結板１５を用いて相互に連結すると、補助台盤１０と隣接する補助台盤１０との間には、その上面の外周に沿って凹溝部２０が形成される。
【００２３】
そこで、補助台盤１０の中空内には砂利や砂などの植生基材２１を充填し、上記孔１３に位置に合わせて植物２２の種を植える。
また、凹溝部３０には生コンクリートＣを充填して、前記多数の連結された補助台盤１０を一体にして地盤に固定する。
これにより、補助台盤１０単体としても同様に植物の育生を図ることができる。
【００２４】
上記実施例では、各部材の連結に軸部と孔部の組合せを例示したが、公知の掛止手段や係合手段、その他の種々連結手段を用いることができる。
また、この植生台盤は地盤上に設置した場合を例示したが、法面などをコンクリートで固める際の型枠として使用するものであってもよい。更にはコンクリート面の上に設けるものでもよい。
その他、この発明の要旨を変更しない範囲で種々設計変更しうること勿論である。
【００２５】
【発明の効果】
以上詳述した如く、この発明の植生台盤では、台盤本体と、これに掛止め可能な補助台盤とを用いて、地盤が平面であっても、法面であっても自在に使用することができる。
また、台盤本体と、補助台盤とは、それらを組み合わせて一体にして使用しても、または台盤本体と補助台盤とをそれぞれ別々に独立して使用してもよく、使用状況に合わせて最適の使用法を選択することができる。
更に、簡単な構成からなるので信頼性に優れ、且つ工業的量産に適するので極めて有益である。
【図面の簡単な説明】
【図１】植生台盤の台盤本体を示すもので（ａ）は上から見た斜視図、（ｂ）は下から見た斜視図である。
【図２】補助台盤の１実施例を示す斜視図である。
【図３】補助台盤の異なる実施例を示す斜視図である。
【図４】台盤本体に図２の補助台盤を組み合わせた植生台盤の使用例を示す断面図である。
【図５】台盤本体に図３の補助台盤を組み合わせた植生台盤の使用例を示す断面図である。
【図６】台盤本体に図２の補助台盤を組み合わせた植生台盤の法面への使用例を示す断面図である。
【図７】台盤本体に図３の補助台盤を組み合わせた植生台盤の法面への使用例を示す断面図である。
【図８】台盤本体のみを使用した場合の断面図である。
【図９】図２の補助台盤のみを法面に使用した場合の断面図である。
【図１０】図３の補助台盤のみを法面に使用した場合の断面図である。
【符号の説明】
１・・・植生台盤
２・・・台盤本体
３・・・フランジ
４・・・連結具
５・・・連結板
６・・・掛止部
６ａ・・第１掛止片
６ｂ・・第２掛止片
１０・・・補助台盤
１１・・・連結用フランジ
１２・・・上壁面
１３・・・孔
１４・・・切れ線
１５・・・突壁部
１６・・・開口部
２０・・・凹溝部
２１・・・植生基材
２２・・・植物
Ｃ・・・生コンクリート
【図１】
0004382233.tif 000002
【図２】
0004382233.tif 000003
【図３】
0004382233.tif 000004
【図４】
0004382233.tif 000005
【図５】
0004382233.tif 000006
【図６】
0004382233.tif 000007
【図７】
0004382233.tif 000008
【図８】
0004382233.tif 000009
【図９】
0004382233.tif 000010
【図１０】
0004382233.tif 000011